(57)【要約】【課題】  先端が自由端である記録用紙を小さな搬送負荷で円滑に搬送でき、小型化かつ簡略化が図れる電子投票装置用プリンタを提供する。【解決手段】  プリンタ６の筐体６ａに装着される容器７内にファンフォールド紙１６が収容されている。この容器７から筐体６ａ内に供給されたファンフォールド紙１６には、記録ヘッド９によって、投票者がタッチパネルから入力した投票内容が印字され、プラテンローラ１０に搬送されて、ガイド１３を介して、窓部１２の隙間１２ｃに進入する。投票ブース内の投票者は、窓部１２から印字内容（投票内容）を確認し、タッチパネルにより、この投票内容の承認処理を行う。すると、記録ヘッド９が承認を示す文字を印字して、ファンフォールド紙１６はカッタ部１１により切断される。切断された部分は、排出ローラ１４によって排出口１５から排出される。【選択図】  図４
2007299371.tif 000002
【特許請求の範囲】
【請求項１】
プリンタの筐体に供給する記録用紙として、所定の長さごとに交互に折り返して積み重ねられたファンフォールド紙を保持する容器と、
前記筐体内に配置されており、前記容器から供給された前記ファンフォールド紙の一部に印字する印字部と、
前記筐体内に配置されており、前記ファンフォールド紙の、前記印字部により印字された部分を切り離すカッタ部と、
前記筐体の、前記ファンフォールド紙の進行方向に対して前記印字部の下流側に設けられており、前記印字された部分を外部から視認可能にする窓部と、
前記筐体の、前記ファンフォールド紙の進行方向に対して前記窓部の下流側に設けられており、前記カッタ部により切り離された前記印字された部分を排出する排出口と
を有する電子投票装置用プリンタ。
【請求項２】
前記容器内に、前記ファンフォールド紙を前記容器の底面に向けて押しつける付勢機構が設けられている、請求項１に記載の電子投票装置用プリンタ。
【請求項３】
プリンタの筐体に供給する記録用紙として、積層された複数の単票紙を保持する容器と、
前記筐体内に配置されており、前記容器から供給された前記単票紙に印字する印字部と、
前記筐体の、前記単票紙の進行方向に対して前記印字部の下流側に設けられており、印字された前記単票紙を外部から視認可能にする窓部と、
前記筐体の、前記単票紙の進行方向に対して前記窓部の下流側に設けられており、印字された前記単票紙を排出する排出口と
を有する電子投票装置用プリンタ。
【請求項４】
前記容器内に設けられ、積層された複数の前記単票紙のうちの最上位の単票紙に接するピックアップローラと、
積層された複数の前記単票紙を、前記ピックアップローラに押しつけるように付勢しつつ保持する支持機構と
を有する、請求項３に記載の電子投票装置用プリンタ。
【請求項５】
前記容器は前記筐体に装着される、請求項１から４のいずれか１項に記載の電子投票装置用プリンタ。
【請求項６】
前記容器は、前記電子投票装置用プリンタの非動作時には前記筐体に平行な姿勢をとり、前記電子投票装置用プリンタの動作時には前記筐体に対して傾いた姿勢をとる、請求項５に記載の電子投票装置用プリンタ。
【請求項７】
前記容器は、前記筐体に対して傾いた姿勢において前記容器の底面が水平面に平行になる、請求項６に記載の電子投票装置用プリンタ。
【発明の詳細な説明】
【技術分野】
【０００１】
本発明は、電子投票装置用プリンタに関する。
【背景技術】
【０００２】
自治体等における従来の選挙は、投票者が投票用紙に人名等を記入して投票箱に投入することによって行われていた。開票は、選挙管理人の立ち会いの下に投票箱を開いて投票用紙を取り出し、投票用紙を１枚ずつ目視で読み取って集計することによって行われていた。このように、従来の選挙は完全に手作業で行われていたため、集計および開票結果の確認に時間がかかるとともに、作業者の労力が多大なものであった。
【０００３】
そこで、近年、コンピュータを用いた電子投票が採用され始めている。電子投票システムの基本構成は、個々の投票ブースにそれぞれ配置された電子投票端末と、各電子投票端末が接続されたサーバを含む。電子投票端末は、候補者の名前等を表示する表示装置（ディスプレイ）と投票者が投票を行うための入力装置を含んでおり、表示装置と入力装置が一体化されたタッチパネルが用いられる場合もある。
【０００４】
電子投票においては、各電子投票端末の入力装置からそれぞれ入力された電子データ（投票内容）をサーバにて集計することによって、開票が行われる。しかし、電子データの書き換えなど、投票に不正や改ざんがなかったかどうかを確認するために、監査を行うことが望まれている。このような監査を行うためには、各投票内容を電子データとして記憶するだけでなく、プリンタによって投票内容を印字して、紙媒体として保管できるようにすることが必要である。すなわち、電子投票端末に接続されたプリンタを備えることが必要である。
【０００５】
特許文献１，２には、電子投票端末にプリンタを接続し、このプリンタの印字結果を投票ブース内にて視認できるようにした電子投票装置が開示されている。この構成によると、投票者が入力装置から入力した投票内容が電子データとしてサーバに送信されるだけでなく、プリンタによって紙に印字され、その紙の印字結果を窓部から見ることによって投票者が投票内容を確認することができる。
【特許文献１】特開２００２−２３０６１０号公報
【特許文献２】特開２００２−２７９１２６号公報
【発明の開示】
【発明が解決しようとする課題】
【０００６】
電子投票装置においては、不特定多数の投票者が間断なく投票を行うことが想定されるため、電子投票端末に接続されたプリンタの紙切れが生じることは極力避けたい。従って、特許文献１，２では、長尺のロール紙に印字し、投票者によって印字内容（投票内容）が確認された後にその印字部分を順次ロール状に巻き取っていく構成が採用されている。しかし、このような巻き取り方式を用いると、投票した順番に投票結果が印字されるので、巻き取られたロール紙を見れば各投票者の順番に従って投票内容を知ることができ、プライバシーの見地から問題がある。また、前投票者の投票内容を印字した部分を次の投票者の目に触れないようにしなければならないため、印字した部分を窓部の外まで搬送する必要がある。
【０００７】
そこで、印字後にロール紙を逐次切断することが考えられる。この場合、切断された記録用紙を回収すればよく、回収された多数の記録用紙はある程度散らばり、比較的ランダムに取り出される。従って、プライバシー上の問題は解消する。また、前投票者の投票内容を印字した部分は、ロール紙から切り離されて回収されるため、その次の投票者に前投票者の投票内容が見られることがない。
【０００８】
しかし、このように、ロール紙を用い、そのロール紙を印字後に切断する構成であると、ロール紙を搬送する搬送ローラが多数必要である。前記したように投票者が窓部を介して印字結果を見ることができる構成の場合、プリンタの印字部とロール紙の排出部との間に窓部を設け、印字結果を見易くするために窓部を大きくすることが望ましい。ロール紙はロール状に保持されていたために巻き癖がついており、かつ先端が自由端になっているので、前記した窓部の長い距離を円滑に搬送することは困難であり、窓部内に複数の搬送ローラを設ける必要がある。その結果、プリンタを含む電子投票装置の構成の複雑化、大型化、高コスト化を招く。
【０００９】
従って、本発明の目的は、先端が自由端になっている記録用紙を、比較的少ない搬送ローラしか用いなくても円滑に搬送でき、小型化かつ構成の簡略化が図れる電子投票装置用プリンタを提供することにある。
【課題を解決するための手段】
【００１０】
本発明の電子投票装置用プリンタは、プリンタの筐体に供給する記録用紙として、所定の長さごとに交互に折り返して積み重ねられたファンフォールド紙を保持する容器と、筐体内に配置されており、容器から供給されたファンフォールド紙の一部に印字する印字部と、筐体内に配置されており、ファンフォールド紙の、印字部により印字された部分を切り離すカッタ部と、筐体の、ファンフォールド紙の進行方向に対して印字部の下流側に設けられており、印字された部分を外部から視認可能にする窓部と、筐体の、ファンフォールド紙の進行方向に対して窓部の下流側に設けられており、カッタ部により切り離された印字された部分を排出する排出口とを有することを特徴とする。
【００１１】
このプリンタは、ロール紙のような巻き癖が生じないファンフォールド紙を記録用紙として用いるため、先端が自由端となっていても長い距離を円滑に進行させることができる。従って、視認を容易にするために窓部が比較的大きく形成されていたとしても、その窓部内に記録用紙の搬送機構（搬送ローラ等）が不要であるため、プリンタの小型化および薄型化と、構成の簡略化が可能である。
【００１２】
また、容器内に、ファンフォールド紙を容器の底面に向けて押しつける付勢機構が設けられていると、ファンフォールド紙の自重による搬送負荷の増大を抑えて、円滑な記録用紙搬送が可能になる。
【００１３】
本発明のもう１つの電子投票装置用プリンタは、プリンタの筐体に供給する記録用紙として、積層された複数の単票紙を保持する容器と、筐体内に配置されており、容器から供給された単票紙に印字する印字部と、筐体の、単票紙の進行方向に対して印字部の下流側に設けられており、印字された単票紙を外部から視認可能にする窓部と、筐体の、単票紙の進行方向に対して窓部の下流側に設けられており、印字された単票紙を排出する排出口とを有することを特徴とする。
【００１４】
このプリンタは、ロール紙のような巻き癖が生じない単票紙を記録用紙として用いるため、長い距離を円滑に進行させることができる。従って、視認を容易にするために窓部が比較的大きく形成されていたとしても、その窓部内に記録用紙の搬送機構（搬送ローラ等）が不要であり、さらにカッタ部も不要であるため、プリンタの小型化および薄型化と、構成の簡略化が可能である。
【００１５】
さらに、容器内に設けられ、積層された複数の単票紙のうちの最上位の単票紙に接するピックアップローラと、積層された複数の単票紙を、ピックアップローラに押しつけるように付勢しつつ保持する支持機構とを有していると、単票紙の円滑な供給が可能になる。
【００１６】
なお、容器は筐体に装着されると、プリンタの筐体と容器を１つのユニットとして取り扱うことができるため、このプリンタの他部材への取り付けおよび取り外しや、メンテナンス作業が容易に行える。容器は、電子投票装置用プリンタの非動作時には筐体に平行な姿勢をとり、電子投票装置用プリンタの動作時には筐体に対して傾いた姿勢をとる構成であってもよい。その場合、容器は、筐体に対して傾いた姿勢において容器の底面が水平面に平行になることが好ましい。これによって、記録用紙であるファンフォールド紙または単票紙の自重による用紙搬送負荷の増大を抑えることができ、円滑な搬送が可能である。
【発明の効果】
【００１７】
本発明によると、記録用紙としてファンフォールド紙または単票紙を用いるため、ロール紙のように巻き癖がつくことがない。従って、先端が自由端となっていても長い距離を円滑に進行させることができる。その結果、印字結果を外部から視認可能にする窓部内に、記録用紙を支持し搬送するためのローラ等の搬送機構を設ける必要がなくなり、プリンタの小型化および薄型化と、構成の簡略化が可能である。
【発明を実施するための最良の形態】
【００１８】
以下、本発明の実施の形態について図面を参照して説明する。
【００１９】
図１には、本発明の第１の実施形態の電子投票装置１を含む電子投票システムの全体構成例が模式的に示されている。この電子投票システムは、（図１には５つしか図示されていないが）多数の電子投票装置１がサーバ２に接続された構成である。
【００２０】
電子投票装置１は、図２Ａに示すように、例えばベース面３ａと側壁３ｂとを有する投票ブース３を構成しており、電子投票端末４（図１参照）の表示装置と入力装置を兼ねるタッチパネル５が配置されている。このタッチパネル５は、例えば、表示部（表示装置）に複数の選択肢（例えば複数の候補者の氏名）が表示され、表示部に表示された各選択肢（例えば各候補者名）に対応する位置の入力スイッチ（入力装置）に触れることによって、投票内容の入力が行われる構成である。なお、タッチパネル５に入力した投票内容を他人が見ることができないようにするため、投票ブース３の周囲には遮蔽部材を設けておくことが好ましい。また、投票ブース３の側壁３ｂには電子投票装置用のプリンタ６が取り付けられている。プリンタ６の筐体６ａには、側壁３ｂの穴部３ｃを介して露出する位置に、窓部１２が設けられている。プリンタ６の詳細な構成については後述するが、記録用紙を保持する容器７と、筐体６ａ内に設けられている印字部およびカッタ部１１とが設けられている。
【００２１】
この電子投票装置１は、図示しない揺動機構によって、図２Ａに示すプリンタ６を含む投票ブース３全体の角度θの調整が可能である。これは、ハンディキャップを有する投票者や様々な身長の投票者に対して、タッチパネル５をできるだけ操作し易い姿勢に自在に移動させて保持するためである。
【００２２】
次に、図３，４に示す、本実施形態の電子投票装置１のプリンタ６について詳細に説明する。このプリンタ６は、投票ブース３の側壁３ｂに取り付けられる筐体６ａを有し、筐体６ａの投票ブース３に露出する面に窓部１２が設けられている。この筐体６ａの、窓部１２と反対側の面に容器７が取り付けられている。
【００２３】
プリンタ６の筐体６ａ内の構成は図４に示されている。筐体６ａの内部には、記録用紙に印字を行うための記録ヘッド（例えばサーマルヘッド）９が設けられている。この記録ヘッド９は、プリンタ６が投票ブース３の側壁３ｂに取り付けられたときに上方に位置し、かつ、このプリンタ６に後述する容器７が取り付けられたときに容器７の一端部付近に近接するように配置されている。さらに、記録ヘッド９と対向して配置され、記録ヘッド９によって記録用紙を押しつけられながらその記録用紙を搬送するプラテンローラ１０が設けられている。ここでは、記録ヘッド９およびプラテンローラ１０が設けられている部分を印字部と称する。
【００２４】
記録用紙の搬送方向に対して印字部の下流側に、記録用紙を切断可能なカッタ部１１が設けられている。カッタ部１１は、公知のあらゆる構成を採用できるので詳細についてはここでは説明しないが、例えば、固定刃と可動刃が対向して配置され、可動刃が固定刃に向かって移動することによって記録用紙を切断するものであってよい。
【００２５】
記録用紙の搬送方向に対して印字部の下流側には、印字部およびカッタ部１１を通過した記録用紙を案内するガイド１３が設けられている。そして、このガイド１３によって案内された記録用紙が、窓部１２に導かれる。窓部１２は、投票ブースに露出する面に配置されている合成樹脂（例えばポリカーボネート、ＡＢＳ樹脂、アクリル等）からなる透明板１２ａと、透明でなくてもよい対向板１２ｂとが、わずかな隙間１２ｃを挟んで対向している構成である。従って、ガイド１３に導かれた記録用紙が、透明板１２ａと対向板１２ｂの間の隙間１２ｃを通過すると、この記録用紙の、記録ヘッド９により印字された部分を、筐体６ａの外部から、すなわちプリンタ６が側壁３ｂに取り付けられている場合には投票ブース３内から見ることができる。なお、窓部１２の範囲内には、記録用紙を搬送するためのローラ等の搬送機構は何ら設けられていない。そして、記録用紙の搬送方向に対して窓部１２の下流側に、記録用紙を排出するための排出ローラ１４および排出口１５が設けられている。
【００２６】
容器７は、記録用紙を収容可能な収容部７ａを有し、プリンタ６の筐体６ａの窓部１２と反対側の面に、取り付けフレーム７ｂによって角度αだけ傾けて取り付けられている。本実施形態では、記録用紙として、所定の長さごとに交互に折り返して積み重ねられたファンフォールド紙１６（図４に概略的に示す）が、収容部７ａに収容されている。
【００２７】
以上説明した構成の電子投票装置１によって投票を行う方法の一例について、図５のフローチャートを参照して説明する。図２Ａに示す電子投票装置１のタッチパネル５には、投票を行う対象となる複数の選択肢、例えば複数の候補者の氏名が表示されている（ステップＳ１）。そこで、投票者がタッチパネル５の表示部に表示されている選択肢のうちのいずれかを選択し、それに対応する入力スイッチに触れる（ステップＳ２）。すると、電子投票端末４は、入力された内容、すなわち選択された選択肢を示すデータをプリンタ６に送信する。
【００２８】
あらかじめ、容器７の収容部７ａに収容されているファンフォールド紙１６の先端が引き出されて、プリンタ６の印字部にセットされている。そこで、前記したように選択された選択肢を示すデータが、印字すべきデータとして電子投票端末４から送信されると、プリンタ６の記録ヘッド９がファンフォールド紙１６の一方の面に、選択した選択肢の内容（例えば選択した候補者の氏名）を印字する（ステップＳ３）。そして、プラテンローラ１０がファンフォールド紙１６を搬送し、ガイド１３によって案内しながら窓部１２に導く。そして、ファンフォールド紙１６の、記録ヘッド９によって印字された部分が窓部１２の隙間１２ｃに到達したら、プラテンローラ１０によるファンフォールド紙１６の搬送を一時停止する。その状態で、印字された内容（例えば選択した候補者の氏名）は、透明板１２ａおよび穴部３ｃを介して投票ブース３内の投票者によって見ることができるように表示される（ステップＳ４）。
【００２９】
投票ブース３内の投票者は、窓部１２および穴部３ｃを介して印字された内容（例えば選択した候補者の氏名）を見て確認し、承認したら、投票内容決定の意思を示すために、タッチパネル５の入力部において適宜の操作を行う（ステップＳ５）。電子投票端末４は、この入力を検知すると、プリンタ６に投票内容決定を示す印刷の指示を送信する。そして、プリンタ６の記録ヘッド９は、ファンフォールド紙１６の印字された部分の後方に、投票内容決定の意味を表す文字または記号、例えば「○」や「ＯＫ」などと、投票内容を示す記号、例えばバーコードを印刷する（ステップＳ６）。そして、カッタ部１１がファンフォールド紙１６を切断する（ステップＳ７）。このとき、選択した内容（例えば選択した候補者の氏名）が印字された部分および投票内容決定の意味を表す文字または記号とバーコードが印字された部分が、ファンフォールド紙１６から切り離されて単票紙状になり、排出ローラ１４によって搬送されて排出口１５から排出される（ステップＳ８）。
【００３０】
一方、入力操作のミスがあった場合や投票者が投票内容を変更したい場合などには、ステップＳ５において、投票者が、印字された内容を承認せず入力の変更を希望するために、タッチパネル５の入力部において適宜の操作を行う。電子投票端末４は、この不承認（変更希望）の操作を検知すると、プリンタ６に投票内容不承認を示す印刷の指示を送信する。そして、プリンタ６の記録ヘッド９は、ファンフォールド紙１６の印字された部分の後方に、投票内容不承認の意味を表す文字または記号、例えば「×」や「ＮＧ」などを印刷する（ステップＳ６’）。そして、カッタ部１１がファンフォールド紙１６を切断し（ステップＳ７’）、不承認となった内容と投票内容不承認の意味を表す文字または記号が印字された部分が、ファンフォールド紙１６から切り離されて単票紙状になり、排出ローラ１４によって搬送されて排出口１５から排出される（ステップＳ８’）。それから、再度、投票者による投票（ステップＳ２）と、プリンタ６による印字（ステップＳ３）と、印字内容の表示（ステップＳ４）を行う。その後に、ステップＳ５において投票内容が承認されたら、プリンタ６の記録ヘッド９は、ファンフォールド紙１６の印字された部分の後方に、投票内容決定の意味を表す文字または記号、例えば「○」や「ＯＫ」などと、投票内容を示す記号、例えばバーコードを印刷する（ステップＳ６）。そして、カッタ部１１がファンフォールド紙１６を切断し（ステップＳ７）、単票紙状にして排出口１５から排出する（ステップＳ８）。
【００３１】
一人の投票者に関して、以上のステップＳ１〜Ｓ８によって投票が完了したら、次の投票者による投票に備えた待機状態になる。この時、ファンフォールド紙１６は、先端がカッタ部１１に位置しており、窓部１２には存在しない。前の投票者による投票内容が印字された部分は、前記したようにカッタ部１１にて切り離されて排出されているので、当然、次の投票者の目には触れることはない。そして、次の投票者によって前記した投票動作（ステップＳ１〜Ｓ８）が行われる。
【００３２】
多数の電子投票装置１によって、このような投票動作が繰り返され、任意のタイミングで電子投票装置１から投票内容が電子データとしてサーバに送信されると、サーバ２には多数の投票内容が電子データとして蓄積され、それと同時に各電子投票装置１には、投票内容が印字された単票紙状の記録用紙が多数収容された状態になる。全有権者の投票が完了するか、または所定の投票時間が終了すると、投票が締め切られる。そして、サーバ２は、各電子投票装置１から送信された投票内容を集計する。また、従来同様に作業者が、収容された単票紙状の記録用紙を１枚ずつ手作業で取り出して読み取って集計することもできる。後者の集計作業は、サーバ２による電子的な集計のバックアップとして検証のために用いることができる。これは、必要に応じて、全ての電子投票装置１に対して行ってもよいが、電子投票装置１のうちの一部についてのみ行ってもよく、また、サーバ２による開票時に何らかの問題が生じた場合にのみ行ってもよい。
【００３３】
本実施形態では、電子投票を行う上で、投票者がタッチパネル５の入力部を操作して入力した後に、その投票内容が印字されたファンフォールド紙１６を窓部１２から目視で確認することができる。そして、投票者が投票内容を最終的に承認した投票内容が任意のタイミングでサーバ２に送られる。従って、操作ミス等で誤った投票を行うことが防げ、また、投票内容の変更にも対応できる。このようにして、投票者が所望の投票を行うことができる。
【００３４】
また、前記したように電子データによる投票のバックアップとして、投票内容が印字された記録用紙が作成されるが、投票者による最終的な承認が得られない、変更前の投票内容には、「×」や「ＮＧ」などの否定の意味を表す文字または記号が付記されているため、手作業による集計時に無視することができる。一方、投票者による最終的な承認が得られた正しい投票内容には、「○」や「ＯＫ」などの肯定的な意味を表す文字または記号と、投票内容を表すバーコード等の記号が付記されているため、手作業による集計が正確に行える。すなわち、切り離されて単票紙状になった記録用紙には、投票内容とともにその投票内容の承認または不承認を示す文字または記号が併記されているので、開票時に文字または記号を確認することが必要であり、こうすることにより、投票内容が変更された場合にも集計ミスを防ぐことができる。
【００３５】
この構成において、十分な大きさの窓部１２を設け、入力内容を大きく印字してこの窓部１２いっぱいに表示すると、多種多様な選挙においても投票者に概ね見易い表示を行うことができる。しかし、従来のように記録用紙としてロール紙を用いる場合には、巻き癖のために、先端が自由端になっているロール紙を円滑に長い距離を進行させることが困難であり、このロール紙を支持しつつ搬送するために、窓部１２内に複数の搬送ローラを配置せざるを得ない。その結果、窓部１２の厚さが厚くなってプリンタ６が大型化するとともに、窓部１２内に設けられた搬送ローラへ駆動力を供給する機構のために、構成が複雑になる。さらに、窓部１２内に設けられた搬送ローラが、記録用紙の印字された部分の目視確認の邪魔にならないように、窓部１２の中央を避けて配置することが望まれるため、その分だけ筐体６ａをさらに大型化する必要が生じる。
【００３６】
これに対し、本実施形態では、記録用紙としてファンフォールド紙１６を用いている。このファンフォールド紙１６は、所定の長さごとに交互に折り返して積み重ねられたものであり、巻き癖は生じない。従って、ファンフォールド紙１６は、先端が自由端であっても窓部１２の隙間１２ｃを円滑に進行し易く、窓部１２内に搬送ローラを設ける必要がない。その結果、プリンタ６の大型化および構成の複雑化を防ぐことができる。
【００３７】
そして、本実施形態では、ファンフォールド紙１６を収容した容器７がプリンタ６の筐体６ａに直接取り付けられている。すなわち、筐体６ａと容器７が一体的に取り扱えるため、すなわち、プリンタ６が記録用紙の容器７を含む１つのユニットとして取り扱えるため、側壁３ｂへの取り付けおよび取り外しが容易である。従って、１台のプリンタ６を様々な投票ブースに取り付けることができ、また、メンテナンスにも便利である。
【００３８】
さらに、本実施形態では、プリンタ６が投票ブース３の側壁３ｂに取り付けられているが、この場合において、容器７を筐体６ａに対して角度αだけ斜めに配置している。これは、ファンフォールド紙１６の自重による搬送負荷の増大を抑えるためである。すなわち、容器７内のファンフォールド紙１６が、その長手方向がほぼ垂直方向になるように直立した姿勢では、ファンフォールド紙１６の自重が主に折り曲げ端部に加わる。この折り曲げ端部はファンフォールド紙１６の自重を支えきれないため、容器７の収納部７ａ内でファンフォールド紙１６が座屈したり倒れたりしてしまう。そうすると、ファンフォールド紙１６は自重によって押さえられて搬送負荷が大きくなってしまうため、プラテンローラ１０によって先端側から引っ張られても、収納部７ａ内から円滑に順次繰り出されて行かず、給紙不良となるおそれがある。なお、ファンフォールド紙１６の自重が、ごく薄い側端面に主に加わる場合にも、同様の給紙不良が生じやすい。
【００３９】
そこで本実施形態では、図３に示すように、ファンフォールド紙１６を自重の方向に対して傾けて配置することにより、ファンフォールド紙１６の自重が、印字可能な大面積の平坦な面（主面）に主に加わるような姿勢を取ることができる。このように大面積の平坦な面でファンフォールド紙１６の自重の大部分を支持することによって、容器７の収容部７ａ内でファンフォールド紙１６が座屈したり倒れたりしてしまうことを防ぎ、自重による搬送負荷の増大を抑えることができ、円滑な搬送を可能にすることができる。
【００４０】
なお、図２Ｂに示すように、プリンタ６が投票ブース３の側壁３ｂではなくベース面３ａに取り付けられている場合には、容器７を筐体６ａに対して角度αだけ斜めに配置しなくても、ファンフォールド紙１６の自重による搬送負荷の増大が問題になることは少ない。
【００４１】
さらに、図６に示すように、アーム７ｃによって、図３に示す傾き方向に対して交差する方向にも角度βだけ傾けることによって、ファンフォールド紙１６を収容部７ａ内で、座屈や倒れをより生じにくくすることもできる。特に、図２Ａ（図２Ｂ）に示すように、ベース面３ａおよび容器７を含む電子投票装置１の角度θの調整が可能であるため、姿勢（角度θ）が変わったときに、ファンフォールド紙１６の自重が折り曲げ端部や側端面に加わって座屈や倒れを引き起こすことが考えられる。そこで、この電子投票装置１の角度調整範囲の傾きも考慮した上で、この角度範囲のいずれにおいても、ファンフォールド紙１６の自重が折り曲げ端部や側端面にはあまり加わらず、主に大面積の平坦な面（主面）に加わるように、すなわち、ファンフォールド紙１６の長手方向が重力方向に対してできるだけ直角に近づくように傾けて保持することによって、自重による座屈や倒れを防ぎ、搬送負荷の増大を抑えることができる。これによって、ファンフォールド紙１６を最初から最後まで円滑に搬送できる。要するに、角度αや角度βは、ベース面３ａおよび容器７を含む電子投票装置１の角度調整範囲において、ファンフォールド紙１６の自重が、折り曲げ端部や側端面にはできるだけ加わらず大面積の平坦な面（主面）に加わるように設定することが好ましい。
【００４２】
なお、プリンタ６の非動作時（収納時）には、アーム７ｃを畳んで、図３に示すように容器７を保持し、プリンタ６の動作時（使用時）には、アーム７ｃを拡げて、図６に示すように容器７を角度βだけ傾けて保持するようにしてもよい。
【００４３】
以上説明したとおり、本実施形態では、ファンフォールド紙１６を用いることと、ファンフォールド紙１６を収容する容器７を筐体６ａに対して傾けて保持することにより、記録用紙を円滑に搬送することができる。
【００４４】
なお、図４に示す構成では、記録ヘッド９とカッタ部１１が非常に近接しているため、ファンフォールド紙１６を切断した後にそれを巻き戻さなくても、切断された残りのファンフォールド紙１６の先端近傍から次の印字ができ、無駄な余白がほとんど生じない。なお、前の投票者の投票内容が印字されている部分は、カッタ部１１により切断されて排出口１５から排出されているため、各記録用紙の投票者を特定することは不可能であり、次の投票者の目に触れることはない。
【００４５】
次に、本発明の他の実施形態について説明する。ただし、前記した第１の実施形態と同様な構成については同一の符号を付与し、説明は省略する。
【００４６】
図７には、本発明の第２の実施形態の電子投票装置用プリンタ６が示されている。このプリンタ６の容器７は軸１７を中心として揺動可能であり、プリンタの非動作時（収納時）には、図７（ａ）に示すように容器７を垂直に立てて筐体６ａに密着させておき、プリンタ６の動作時（使用時）には、図７（ｂ）に示すように容器７を水平に保持する。すなわち、この構成は、第１の実施形態の容器７の角度を変更したものである。この構成によると、プリンタ６の動作時にはファンフォールド紙１６の大面積の平坦な面（主面）が重力方向に直角に配置されるため、前記したように電子投票装置１の姿勢が変化したとしても、自重は折り曲げ端部や側端面ではなく、大面積の平坦な面（主面）に加わり、ファンフォールド紙１６は自重で座屈したり倒れたりすることなく保持され、ファンフォールド紙１６を小さな搬送負荷で最初から最後まで円滑に搬送できる。しかも、プリンタ６の非動作時には容器６が直立するため無駄なスペースを取らずにすむ。なお、これ以外の構成は第１の実施形態と同様であり、電子投票方法も第１の実施形態（図５参照）と全く同じである。
【００４７】
図８には、本発明の第３の実施形態の電子投票装置用プリンタ６が示されている。このプリンタ６は、容器７の収容部７ａ内に収容されているファンフォールド紙１６を付勢する付勢機構が設けられている。付勢機構は、ファンフォールド紙１６の上面を押さえる保持フレーム１８と、保持フレーム１８と容器７の本体に取り付けられているばね部材１９とからなり、ばね部材１９のばね力によって保持フレーム１８がファンフォールド紙１６を収容部７ａの底面７ｄに押しつける構成になっている。従って、図２Ａ（図２Ｂ）に示すベース面３ａおよび容器７を含む電子投票装置１が傾いたとしても、ファンフォールド紙１６が自重によって座屈したり倒れたりすることなく保持されるため、ファンフォールド紙１６を小さな搬送負荷で最初から最後まで円滑に搬送できる。なお、本明細書中でいう容器７の底面７ｄとは、プリンタ６の使用時の姿勢にかかわらず、給紙時に引き出されるファンフォールド紙１６の最上層の部分と反対側に位置する面のことであり、積層状態のファンフォールド紙１６の最下層の大面積の平坦な面（主面）と当接してそれを支持する面（図８では右側の面）である。言い換えると、底面７ｄは、通常、ファンフォールド紙１６を容器７内に入れる際にこのファンフォールド紙１６の自重を主に受ける、容器７の内面である。以上説明した構成以外については第１の実施形態と同様であり、電子投票方法も第１の実施形態（図５参照）と全く同じである。
【００４８】
図９には、本発明の第４の実施形態の電子投票装置用プリンタ６が示されている。このプリンタ６は、軸２０を中心として揺動可能なアーム２１と、アーム２１の自由端に取り付けられたテンションローラ２２と、アーム２１の自由端を収容部７ａの底面７ｄに向けて付勢するばね部材等の付勢部材（図示せず）とからなる付勢機構を有している。この構成によると、テンションローラ２２がファンフォールド紙１６の上面を押さえることにより、ファンフォールド紙１６を収容部７ａの底面７ｄに押しつけるため、第３の実施形態と同様に、電子投票装置１が傾いたとしてもファンフォールド紙１６が自重によって座屈したり倒れたりすることなく保持される。従って、ファンフォールド紙１６を小さな搬送負荷で最初から最後まで円滑に搬送できる。なお、これ以外の構成は第１の実施形態と同様であり、電子投票方法も第１の実施形態（図５参照）と全く同じである。
【００４９】
図１０には、本発明の第５の実施形態の電子投票装置用プリンタ６が示されている。このプリンタ６の容器７は、筐体６ａと分離して設けられており、床に直接置かれている。従って、ファンフォールド紙１６は水平に保持され、自重で座屈したり倒れたりすることがなく、小さな搬送負荷で最初から最後まで円滑に搬送できる。ただし、本実施形態では、プリンタ６を１つのユニットとして一体的に取り扱うことができない。なお、これ以外の構成は第１の実施形態と同様であり、電子投票方法も第１の実施形態（図５参照）と全く同じである。
【００５０】
図１１には、本発明の第６の実施形態の電子投票装置用プリンタ６が示されている。このプリンタ６の容器７は、第２の実施形態と同様に、軸１７を中心として揺動可能であり、プリンタ６の非動作時（収納時）には、図１１（ａ）に示すように容器７を垂直に立てて筐体６ａに密着させておき、プリンタ６の動作時（使用時）には、図１１（ｂ）に示すように容器７を水平に保持する。本実施形態では、ファンフォールド紙１６ではなく、多数の単票紙２３が積層状態で収容部７ａ内に収容されている。この単票紙２３は、ばね部材２４と支持板２５からなる支持機構によって保持されており、具体的には、ばね部材２４によって支持された支持板２５上に置かれて保持されている。そして、最上位の単票紙２３の上面に接する位置にピックアップローラ２６が設けられている。従って、プリンタ６の動作時にはピックアップローラ２６が単票紙２３を１枚ずつ取り出して印字部へ送る。このとき、単票紙２３の主面（平面）が重力方向に直角に配置されるため、単票紙２３の束が自重によって座屈したり倒れたりすることなく保持される。そして、容器７内の単票紙２３が少なくなっても、単票紙２３は、ばね部材２４および支持板２５によって、最上位の単票紙２３の上面がピックアップローラ２６に当接するまで持ち上げられるので、小さな搬送負荷で最後まで円滑に搬送できる。しかも、プリンタ６の非動作時には容器６が直立するため無駄なスペースを取らずにすむ。なお、この構成の場合、筐体６ａ内のカッタ部１１は不要である。これ以外の構成は第１の実施形態と同様である。本実施形態の電子投票方法は、切断工程（ステップＳ７）が不要であることを除いては、第１の実施形態（図５参照）と全く同じである。
【図面の簡単な説明】
【００５１】
【図１】本発明の電子投票装置を含む電子投票システムの一例を示すブロック図である。
【図２Ａ】図１に示す電子投票装置の要部の一例を示す斜視図である。
【図２Ｂ】図１に示す電子投票装置の要部の他の一例を示す斜視図である。
【図３】（ａ）は本発明の第１の実施形態の電子投票装置用プリンタの要部の一例を示す側面図、（ｂ）はその正面図、（ｃ）はその平面図、（ｄ）はその底面図である。
【図４】図３（ａ）のＡ−Ａ線断面図である。
【図５】図１に示す電子投票システムによる電子投票方法の一例を示すフローチャートである。
【図６】（ａ）は図３に示す電子投票装置用プリンタの動作時の要部の一例を示す側面図、（ｂ）はその正面図、（ｃ）はその平面図、（ｄ）はその底面図である。
【図７】（ａ）は本発明の第２の実施形態の電子投票装置用プリンタの非動作時の要部の一例を示す断面図、（ｂ）はその動作時の要部の一例を示す断面図である。
【図８】本発明の第３の実施形態の電子投票装置用プリンタの要部の一例を示す断面図である。
【図９】本発明の第４の実施形態の電子投票装置用プリンタの要部の一例を示す断面図である。
【図１０】本発明の第５の実施形態の電子投票装置用プリンタの要部の一例を示す断面図である。
【図１１】（ａ）は本発明の第６の実施形態の電子投票装置用プリンタの非動作時の要部の一例を示す断面図、（ｂ）はその動作時の要部の一例を示す断面図である。
【符号の説明】
【００５２】
１        電子投票装置
２        サーバ
３        投票ブース
３ａ      ベース面
３ｂ      側壁
３ｃ      穴部
４        電子投票端末
５        タッチパネル
６        電子投票装置用プリンタ
６ａ      筐体
７        容器
７ａ      収容部
７ｂ      取り付けフレーム
７ｃ      アーム
７ｄ      底面
９        記録ヘッド（印字部）
１０      プラテンローラ（印字部）
１１      カッタ部
１２      窓部
１２ａ    透明板
１２ｂ    対向板
１２ｃ    隙間
１３      ガイド
１４      排出ローラ
１５      排出口
１６      ファンフォールド紙（記録用紙）
１７      軸
１８      保持フレーム（付勢機構）
１９      ばね部材（付勢機構）
２０      軸
２１      アーム（付勢機構）
２２      テンションローラ（付勢機構）
２３      単票紙（記録用紙）
２４      ばね部材（支持機構）
２５      支持板（支持機構）
２６      ピックアップローラ
【図１】
2007299371.tif 000003
【図２Ａ】
2007299371.tif 000004
【図２Ｂ】
2007299371.tif 000005
【図３】
2007299371.tif 000006
【図４】
2007299371.tif 000007
【図５】
2007299371.tif 000008
【図６】
2007299371.tif 000009
【図７】
2007299371.tif 000010
【図８】
2007299371.tif 000011
【図９】
2007299371.tif 000012
【図１０】
2007299371.tif 000013
【図１１】
2007299371.tif 000014